(57)【要約】【課題】腹腔内圧を高めることができ、狙いの位置を高圧力に保持できるパンツ型使い捨ておむつを提供する。【解決手段】前側ベルト部（２１）と、後側ベルト部（２２）を備え、上端に胴回り開口（１ａ）の形成されたパンツ型使い捨ておむつ（１）であって、胴回り開口（１ａ）の縁に沿った伸縮領域（２６ｓ）と、前側の左右中央の伸縮領域に下側から隣接するベース領域（２１ｓ）と、伸縮領域（２６ｓ）の下方に設けられた第１高圧力領域（３３ｓ）及び第２高圧力領域（３５ｓ）と、を備え、第１高圧力領域（３３ｓ）及び第２高圧力領域（３５ｓ）は、周状に設けられており、左右方向の両端部において、第１高圧力領域（３３ｓ）は、第２高圧力領域（３５ｓ）と離間しているとともに、第２高圧力領域（３５ｓ）よりも上側に配置され、左右方向の中央において、後側の第１高圧力領域（３３ｓ）の下端が、前側の第１高圧力領域（３５ｓ）の下端よりも上側に配置されている。【選択図】図４
2019181180.tif 000002
【特許請求の範囲】
【請求項１】
互いに交差する上下方向と左右方向と前後方向を有し、着用者の腹側に配置される前側ベルト部と、着用者の背側に配置される後側ベルト部を備え、前記前側ベルト部と前記後側ベルト部とによって上端に胴回り開口の形成されたパンツ型使い捨ておむつであって、
前記胴回り開口の縁に沿った伸縮領域と、
前記前側ベルト部の前記左右方向の中央の前記伸縮領域に下側から隣接するベース領域と、
前記伸縮領域の下方に設けられた第１高圧力領域、及び、第２高圧力領域と、
を備え、
単位幅の前記第１高圧力領域を、前記左右方向に単位長さ伸長させるための力は、前記単位幅の前記ベース領域を、前記左右方向に前記単位長さ伸長させるための力よりも大きく、
前記単位幅の前記第２高圧力領域を、前記左右方向に前記単位長さ伸長させるための力は、前記単位幅の前記ベース領域を、前記左右方向に前記単位長さ伸長させるための力よりも大きく、
前記第１高圧力領域及び前記第２高圧力領域は、それぞれ、前記前側ベルト部と前記後側ベルト部に亘って周状に設けられており、
前記左右方向の両端部において、前記第１高圧力領域は、前記第２高圧力領域と離間しているとともに、前記第２高圧力領域よりも上側に配置され、
前記左右方向の中央において、後側の前記第１高圧力領域の下端が、前側の前記第１高圧力領域の下端よりも上側に配置されている、
ことを特徴とするパンツ型使い捨ておむつ。
【請求項２】
請求項１に記載のパンツ型使い捨ておむつであって、
前記左右方向の中央において、後側の前記第２高圧力領域の下端が、前側の前記第２高圧力領域の下端よりも上側に配置されている、
ことを特徴とするパンツ型使い捨ておむつ。
【請求項３】
請求項１又は２に記載のパンツ型使い捨ておむつであって、
前記前側ベルト部の前記第１高圧力領域が下側に凸となるように設けられている、
ことを特徴とするパンツ型使い捨ておむつ。
【請求項４】
請求項１〜３の何れか１項に記載のパンツ型使い捨ておむつであって、
前記後側ベルト部の前記第２高圧力領域が上側に凸となるように設けられている、
ことを特徴とするパンツ型使い捨ておむつ。
【請求項５】
請求項１〜４の何れか１項に記載のパンツ型使い捨ておむつであって、
前記後側ベルト部の前記左右方向の中央において、前記第１高圧力領域及び前記第２高圧力領域が、ともに前記パンツ型使い捨ておむつの前記上下方向の中央位置よりも上側に配置されている、
ことを特徴とするパンツ型使い捨ておむつ。
【請求項６】
請求項１〜５の何れか１項に記載のパンツ型使い捨ておむつであって、
吸収性コアを有し、長手方向に二つ折りされて前記前側ベルト部と前記後側ベルト部の間に設けられた吸収性本体を備え、
前記第１高圧力領域は、前記吸収性コアの上端よりも上方に設けられている、
ことを特徴とするパンツ型使い捨ておむつ。
【請求項７】
請求項６に記載のパンツ型使い捨ておむつであって、
前記第２高圧力領域も、前記吸収性コアの上端よりも上方に設けられている、
ことを特徴とするパンツ型使い捨ておむつ。
【請求項８】
請求項１〜７の何れか１項に記載のパンツ型使い捨ておむつであって、
前記前側ベルト部の前記左右方向の中央において、前記第１高圧力領域と前記第２高圧力領域が少なくとも１部重なっている、
ことを特徴とするパンツ型使い捨ておむつ。
【請求項９】
請求項８に記載のパンツ型使い捨ておむつであって、
前記後側ベルト部の前記左右方向の中央において、前記第１高圧力領域と前記第２高圧力領域が少なくとも１部重なっており、
後側の前記第１高圧力領域と前記第２高圧力領域との重なり部分の前記上下方向の中央位置が、前側の前記第１高圧力領域と前記第２高圧力領域との重なり部分の前記上下方向の中央位置よりも上である、
ことを特徴とするパンツ型使い捨ておむつ。
【請求項１０】
請求項１〜９の何れか１項に記載のパンツ型使い捨ておむつであって、
前記第１高圧領域及び前記第２高圧力領域は、それぞれ、少なくとも１部が胴回りの周方向に連続している
ことを特徴とするパンツ型使い捨ておむつ。
【請求項１１】
請求項１〜１０の何れか１項に記載のパンツ型使い捨ておむつであって、
前記第１高圧力領域及び前記第２高圧力領域は、それぞれ、前記上下方向に間隔を空けて配置された複数本の弾性部材で形成されている、
ことを特徴とするパンツ型使い捨ておむつ。
【請求項１２】
請求項１１に記載のパンツ型使い捨ておむつであって、
前記前側ベルト部の前記左右方向の中央を含む所定範囲において、少なくとも一つの前記弾性部材の弾性係数が、他の部位の弾性係数よりも大きい、
ことを特徴とするパンツ型使い捨ておむつ。
【請求項１３】
請求項１１又は１２に記載のパンツ型使い捨ておむつであって、
前記弾性部材は、シート状の部材である、
ことを特徴とするパンツ型使い捨ておむつ。
【請求項１４】
請求項１〜１３の何れか１項に記載のパンツ型使い捨ておむつであって、
前記ベース領域は、少なくとも前記左右方向に伸縮性を有する、
ことを特徴とするパンツ型使い捨ておむつ。
【発明の詳細な説明】
【技術分野】
【０００１】
本発明は、パンツ型使い捨ておむつに関する。
【背景技術】
【０００２】
従来、使い捨ておむつとして、パンツ型の使い捨ておむつが知られている。例えば、特許文献１には、胴回り開口から下側を上下３区間に区分にし、それぞれの区間に複数本の弾性伸縮部材を配置して各区間の弾性伸縮力を設定したパンツ型使い捨ておむつが記載されている。
【先行技術文献】
【特許文献】
【０００３】
【特許文献１】特許第３９１４６７３号
【発明の概要】
【発明が解決しようとする課題】
【０００４】
しかしながら、上述したようなパンツ型使い捨ておむつでは、着用者の胴周囲に対して水平の圧力の強弱が上下に分布するように規定されており、圧力をかけたとしても身体の頭側と足側（上下方向）の内圧が逃げてしまう。このため、効果的に腹腔内圧を上げることが困難である。また、着用して動く際に、おむつの位置がずれて狙った位置に圧力をかけることができなくなるおそれがある。一方、胴周り全体を覆うほどの広範囲を高圧力にすれば、腹腔内圧は高められるが、着用者の胴周りが全体的に締め付けられてしまい、苦しくて履き心地が悪くなる。
【０００５】
本発明は、上記のような問題に鑑みてなされたものであって、腹腔内圧を高めることができ、狙いの位置を高圧力に保持できるパンツ型使い捨ておむつを提供することを目的とする。
【課題を解決するための手段】
【０００６】
上記目的を達成するための主たる発明は、互いに交差する上下方向と左右方向と前後方向を有し、着用者の腹側に配置される前側ベルト部と、着用者の背側に配置される後側ベルト部を備え、前記前側ベルト部と前記後側ベルト部とによって上端に胴回り開口の形成されたパンツ型使い捨ておむつであって、前記胴回り開口の縁に沿った伸縮領域と、前記前側ベルト部の前記左右方向の中央の前記伸縮領域に下側から隣接するベース領域と、前記伸縮領域の下方に設けられた第１高圧力領域、及び、第２高圧力領域と、を備え、単位幅の前記第１高圧力領域を、前記左右方向に単位長さ伸長させるための力は、前記単位幅の前記ベース領域を、前記左右方向に前記単位長さ伸長させるための力よりも大きく、前記単位幅の前記第２高圧力領域を、前記左右方向に前記単位長さ伸長させるための力は、前記単位幅の前記ベース領域を、前記左右方向に前記単位長さ伸長させるための力よりも大きく、前記第１高圧力領域及び前記第２高圧力領域は、それぞれ、前記前側ベルト部と前記後側ベルト部に亘って周状に設けられており、前記左右方向の両端部において、前記第１高圧力領域は、前記第２高圧力領域と離間しているとともに、前記第２高圧力領域よりも上側に配置され、前記左右方向の中央において、後側の前記第１高圧力領域の下端が、前側の前記第１高圧力領域の下端よりも上側に配置されている、ことを特徴とする。  
本発明の他の特徴については、本明細書及び添付図面の記載により明らかにする。
【発明の効果】
【０００７】
本発明によれば、腹腔内圧を高めることができ、狙いの位置を高圧力に保持できるパンツ型使い捨ておむつを提供できる。
【図面の簡単な説明】
【０００８】
【図１】パンツ型使い捨ておむつ１の斜視図である。
【図２】展開且つ伸長状態のおむつ１の概略平面図である。
【図３】図２のＩ−Ｉ線（左右方向の中央）での概略断面図である。
【図４】図４Ａ〜図４Ｃは、本実施形態のおむつ１を着用した状態を示す概念図である。図４Ａは前側（腹側）から見た図であり、図４Ｂは、後側（背側）から見た図であり、図４Ｃは横から見た図（側面図）である。
【発明を実施するための形態】
【０００９】
本明細書及び添付図面の記載により、少なくとも以下の事項が明らかとなる。
【００１０】
互いに交差する上下方向と左右方向と前後方向を有し、着用者の腹側に配置される前側ベルト部と、着用者の背側に配置される後側ベルト部を備え、前記前側ベルト部と前記後側ベルト部とによって上端に胴回り開口の形成されたパンツ型使い捨ておむつであって、前記胴回り開口の縁に沿った伸縮領域と、前記前側ベルト部の前記左右方向の中央の前記伸縮領域に下側から隣接するベース領域と、前記伸縮領域の下方に設けられた第１高圧力領域、及び、第２高圧力領域と、を備え、単位幅の前記第１高圧力領域を、前記左右方向に単位長さ伸長させるための力は、前記単位幅の前記ベース領域を、前記左右方向に前記単位長さ伸長させるための力よりも大きく、前記単位幅の前記第２高圧力領域を、前記左右方向に前記単位長さ伸長させるための力は、前記単位幅の前記ベース領域を、前記左右方向に前記単位長さ伸長させるための力よりも大きく、前記第１高圧力領域及び前記第２高圧力領域は、それぞれ、前記前側ベルト部と前記後側ベルト部に亘って周状に設けられており、前記左右方向の両端部において、前記第１高圧力領域は、前記第２高圧力領域と離間しているとともに、前記第２高圧力領域よりも上側に配置され、前記左右方向の中央において、後側の前記第１高圧力領域の下端が、前側の前記第１高圧力領域の下端よりも上側に配置されている、ことを特徴とするパンツ型使い捨ておむつ。
【００１１】
このようなパンツ型使い捨ておむつによれば、下腹部を斜め上に締めることができ、腹腔内圧を高めることができる。また、左右方向の両端部において上前腸骨棘（腰に手を当てた時指に触れる出っ張り）を挟み込むように２つの高圧力領域を配置することで、着用時にずれにくくなり、狙いの位置を高圧力に保持できる。
【００１２】
かかるパンツ型使い捨ておむつであって、前記左右方向の中央において、後側の前記第２高圧力領域の下端が、前側の前記第２高圧力領域の下端よりも上側に配置されている、ことが望ましい。
【００１３】
このようなパンツ型使い捨ておむつによれば、上前腸骨棘を挟んで、さらに下側の部分（下腹部）の腹腔内圧を高めることができる。
【００１４】
かかるパンツ型使い捨ておむつであって、前記前側ベルト部の前記第１高圧力領域が下側に凸となるように設けられている、ことが望ましい。
【００１５】
このようなパンツ型使い捨ておむつによれば、腹腔内圧を高めやすい。
【００１６】
かかるパンツ型使い捨ておむつであって、前記後側ベルト部の前記第２高圧力領域が上側に凸となるように設けられている、ことが望ましい。
【００１７】
このようなパンツ型使い捨ておむつによれば、臀部の形に沿いやすい。
【００１８】
かかるパンツ型使い捨ておむつであって、前記後側ベルト部の前記左右方向の中央において、前記第１高圧力領域及び前記第２高圧力領域が、ともに前記パンツ型使い捨ておむつの前記上下方向の中央位置よりも上側に配置されている、ことが望ましい。
【００１９】
このようなパンツ型使い捨ておむつによれば、臀部を避けて締め付けることができ、歩行などの動作を妨げないようにできる。
【００２０】
かかるパンツ型使い捨ておむつであって、吸収性コアを有し、長手方向に二つ折りされて前記前側ベルト部と前記後側ベルト部の間に設けられた吸収性本体を備え、前記第１高圧力領域は、前記吸収性コアの上端よりも上方に設けられている、ことが望ましい。
【００２１】
このようなパンツ型使い捨ておむつによれば、腹腔内圧を逃がさないようにできる。
【００２２】
かかるパンツ型使い捨ておむつであって、前記第２高圧力領域も、前記吸収性コアの上端よりも上方に設けられている、ことを特徴とすることが望ましい。
【００２３】
このようなパンツ型使い捨ておむつによれば、吸収性コアに皺がよりにくく、吸収性を低下させないようにできる。
【００２４】
かかるパンツ型使い捨ておむつであって、前記前側ベルト部の前記左右方向の中央において、前記第１高圧力領域と前記第２高圧力領域が少なくとも１部重なっている、ことが望ましい。
【００２５】
このようなパンツ型使い捨ておむつによれば、腹腔内圧をより高めることができる。
【００２６】
かかるパンツ型使い捨ておむつであって、前記後側ベルト部の前記左右方向の中央において、前記第１高圧力領域と前記第２高圧力領域が少なくとも１部重なっており、後側の前記第１高圧力領域と前記第２高圧力領域との重なり部分の前記上下方向の中央位置が、前側の前記第１高圧力領域と前記第２高圧力領域との重なり部分の前記上下方向の中央位置よりも上である、ことが望ましい。
【００２７】
このようなパンツ型使い捨ておむつによれば、より斜めに引き上げやすい。
【００２８】
かかるパンツ型使い捨ておむつであって、前記第１高圧領域及び前記第２高圧力領域は、それぞれ、少なくとも１部が胴回りの周方向に連続している、ことが望ましい。
【００２９】
このようなパンツ型使い捨ておむつによれば、胴回りに締め付け圧力を発生させることができる。
【００３０】
かかるパンツ型使い捨ておむつであって、前記第１高圧力領域及び前記第２高圧力領域は、それぞれ、前記上下方向に間隔を空けて配置された複数本の弾性部材で形成されている、ことが望ましい。
【００３１】
このようなパンツ型使い捨ておむつによれば、弾性部材が無い箇所の厚み方向の部材数を少なくでき、通気性や履き心地が良くなる。
【００３２】
かかるパンツ型使い捨ておむつであって、前記前側ベルト部の前記左右方向の中央を含む所定範囲において、少なくとも一つの前記弾性部材の弾性係数が、他の部位の弾性係数よりも大きい、ことが望ましい。
【００３３】
このようなパンツ型使い捨ておむつによれば、前側の左右方向の中央を含む所定範囲が他の部位よりも変形しにくくなり、座るときなどの姿勢の変化による下腹の変形に追従しにくくなる。これにより、締め付け圧力を保持しやすくなる。
【００３４】
かかるパンツ型使い捨ておむつであって、前記弾性部材は、シート状の部材である、ことが望ましい。
【００３５】
このようなパンツ型使い捨ておむつによれば、面で圧力をかけることができ、体に跡がつきにくく、締め付けなどによる違和感を抑制することができる。
【００３６】
かかるパンツ型使い捨ておむつであって、前記ベース領域は、少なくとも前記左右方向に伸縮性を有する、ことが望ましい。
【００３７】
このようなパンツ型使い捨ておむつによれば、ベース領域内におけるフィット性が良くなる。
【００３８】
＝＝＝実施形態＝＝＝
＜＜おむつ１の全体構成＞＞
図１は、パンツ型使い捨ておむつ１（以下、おむつ１ともいう）の斜視図である。図２は、展開且つ伸長状態のおむつ１の概略平面図である。なお、おむつ１の伸長状態とは、おむつ１を皺なく伸長させた状態であり、おむつ１を構成する各部材（例えば外装体２０を構成するシート等）の寸法がその部材単体の寸法と一致又はそれに近い長さになるまで伸長した状態である。図３は、図２のＩ−Ｉ線（左右方向の中央）での概略断面図である。
【００３９】
おむつ１は、互いに交差する上下方向、左右方向（幅方向）、及び、前後方向を有するとともに、図３に示すように、各部材が積層された厚さ方向を有する。上下方向において、着用者の胴側となる側を上側とし、着用者の股下となる側を下側とする。前後方向において、着用者の腹側となる側を前側とし、着用者の背側となる側を後側とする。厚さ方向において、着用者に接する側を肌側とし、その反対側を非肌側とする。
【００４０】
おむつ１は、平面視長方形状である吸収性本体１０と、吸収性本体１０の非肌側に位置する外装体２０とを有している。外装体２０は、前後方向における前側に位置する腹側外装体２１（前側ベルト部に相当）と、前後方向における後側に位置する背側外装体２２（後側ベルト部に相当）と、それらを繋ぐ股下外装体２３とを有している。厚さ方向に隣接する上記部材は接着剤等で接合されている。
【００４１】
また、吸収性本体１０の長手方向の一端側に、腹側外装体２１が位置し、吸収性本体１０の長手方向の他端側に、背側外装体２２が位置している。吸収性本体１０の長手方向において、腹側外装体２１が位置する側を前側とし、背側外装体２２が位置する側を後側とする。また、股下外装体２３は腹側外装体２１及び背側外装体２２よりも肌側に位置している。
【００４２】
なお、本実施形態のおむつ１では外装体２０が３部材（腹側外装体２１、背側外装体２２、及び、股下外装体２３）から構成されているが、これに限らない。例えば、腹側外装体２１、背側外装体２２、及び、股下外装体２３が１部材で構成されていてもよい。また、股下外装体２３を有さない構成としてもよい。
【００４３】
図２に示す展開状態のおむつ１は、吸収性本体１０が長手方向の中央ＣＬで２つ折りされ、腹側外装体２１の左右方向の両端部と背側外装体２２の左右方向の両端部とが溶着等で接合されることにより、図１に示すパンツ型となる。つまり、吸収性本体１０の長手方向がおむつ１の上下方向に沿い、腹側外装体２１と背側外装体２２とが環状につながって、胴回り開口１ａ及び一対の脚回り開口１ｂが形成される。以下、腹側外装体２１と背側外装体２２とが接合された左右方向の両端部の領域を端部接合領域２４という。
【００４４】
吸収性本体１０は、図３に示すように、吸収性コア１１と、吸収性コア１１の肌側に位置するトップシート１２と、吸収性コア１１の非肌側に位置するバックシート１３とを有している。
【００４５】
吸収性コア１１は、尿等の排泄液を吸収して保持する部材であり、例えば高吸収性ポリマー（ＳＡＰ）が混入したパルプ繊維等の液体吸収性繊維により形成される。図示しないが、吸収性コア１１は、ティッシュペーパーや不織布等の液透過性のシートによって、外周面が覆われていてもよい。
【００４６】
トップシート１２は、液透過性のシートであり、例えば親水性のエアスルー不織布やスパンボンド不織布等が用いられる。バックシート１３は、液不透過性シート１３ａ、及び、その非肌側に配された液透過性シート１３ｂの二層構造である。液不透過性シート１３ａとしては、例えば樹脂フィルム等が用いられ、液透過性シート１３ｂとしては、例えば柔軟性を有する不織布等が用いられる。なお、バックシート１３は液不透過性シート１３ａの一層構造であってもよい。
【００４７】
また、詳細は図示しないが、図１に示すように、吸収性本体１０の左右方向の両側部に、肌側に起立可能な立体ギャザー部１４を設けてもよい。
【００４８】
腹側外装体２１、及び、背側外装体２２は、それぞれ図２に示すように、上下方向において端部接合領域２４が位置する胴回り領域２１１，２２１と、胴回り領域２１１，２２１よりも下側の股下側領域２１２，２２２とを有している。
【００４９】
胴回り領域２１１，２２１は平面視長方形状を成している。また、背側外装体２２の胴回り領域２１１は、吸収性本体１０の中央ＣＬ（換言するとおむつ１の下端）と背側外装体２２の上端（換言するとおむつ１の上端）との間の中央ＢＣＬよりも上に位置している。
【００５０】
股下側領域２１２，２２２は略台形形状を成し、下側に向かうにつれて横幅（左右方向の長さ）が狭くなっている。腹側外装体２１に比べて背側外装体２２の方が、股下側領域２２２が大きく、着用者の臀部を被覆可能となっている。
【００５１】
腹側外装体２１、及び、背側外装体２２は、それぞれ図３に示すように、肌側に位置する肌側シート２１３，２２３と、非肌側に位置する非肌側シート２１４，２２４と、それらの間に位置し、少なくともおむつ１の左右方向に伸縮性を備える伸縮性不織布２１５，２２５と、を有している。
【００５２】
肌側シート２１３，２２３、及び、非肌側シート２１４，２２４は、柔軟なシートであることが好ましく、例えばスパンボンド不織布やＳＭＳ不織布等が用いられる。
【００５３】
伸縮性不織布２１５，２２５は、例えば、弾性を有する熱可塑性エラストマー性繊維であるポリウレタン系エラストマーと、非弾性を有する熱可塑性樹脂性繊維であるポリオレフィン系樹脂のポリプロピレン（ＰＰ）とを有しており、ギア延伸等の適宜な延伸処理が施された不織布である。この延伸処理により、伸縮性不織布２１５，２２５は、おむつ１の左右方向及び上下方向の伸縮性を有するものとする。なお、延伸処理は、互いに直交する方向に延伸処理を行うものであってもよいし、所定方向にのみ延伸処理を行うものであってもよい。所定方向にのみ延伸処理を行った場合、所定方向における伸縮性が発現されるが、すべての繊維の配向が所定方向に沿っているとは限らないため、所定方向と直交する方向にも伸縮性が発現される。
【００５４】
肌側シート２１３，２２３、非肌側シート２１４，２２４、及び、伸縮性不織布２１５，２２５は、点在する複数の溶着部（不図示）により接合されている。このため、例えば固化する接着剤により接合される場合に比べて、肌触りが柔らかくなっている。また、溶着部の間において、伸縮性不織布２１５，２２５が収縮することで、肌側シート２１３，２２３、及び、非肌側シート２１４，２２４が厚さ方向の外側に湾曲して突出する。つまり、肌側シート２１３，２２３、及び、非肌側シート２１４，２２４が溶着部の間で膨らむため、肌触りがより柔らかくなり、視覚的にも柔らかい印象を使用者に付与できる。溶着部は、比較的に狭い間隔で点在しているため、本実施形態のおむつ１では、多方向に延び、且つ、きめ細やかな膨らみ（皺）が発生し、おむつ特有の一方向の皺（縦皺等）の発生を防止できるため、おむつ１の美観性が良い。
【００５５】
また、腹側外装体２１、及び、背側外装体２２には、胴回り開口１ａの縁に沿う領域には複数の胴回り弾性部材２６（例えば糸ゴム等）が配されている。以下、胴回り弾性部材２６が設けられた領域（胴回り開口１ａの縁に沿った領域）のことを伸縮領域２６ｓともいう。また、本実施形態では、図２において伸縮領域２６ｓの下側の破線で囲んだ領域のことを、特にベース領域２１ｓともいう。なお、ベース領域２１ｓは、肌側シート２１３と非肌側シート２１４の間に伸縮性不織布２１５が設けられた領域であり、腹側外装体２１の左右方向の中央において、伸縮領域２６ｓに下側から隣接する領域である。
【００５６】
また、脚回り開口１ｂの縁に沿う領域には複数の脚回り弾性部材２７が配されている。脚回り弾性部材２７は、胴回り弾性部材２６と同様に、例えば糸ゴム等で構成されている。
【００５７】
これにより、おむつ１の胴回り及び脚回りは、胴回り弾性部材２６及び脚回り弾性部材２７により着用者にしっかりと密着する。よって、おむつ１のずれ落ちや脚回りからの漏れを防止できる。また、後述する高圧力領域（第１高圧力領域３３ｓ、第２高圧力領域３５ｓ）の位置もずれにくくなる。
【００５８】
一方、伸縮性不織布２１５，２２５が設けられた領域は、面全体で緩やかに着用者にフィットする。例えば、ベース領域２１ｓ内におけるフィット性が良くなる。また、肌に均等に圧力が掛かるようにでき、締め付け感が軽減され、違和感を抑制することができる（履き心地がよい）。
【００５９】
さらに、本実施形態のおむつ１の腹側外装体２１、及び、背側外装体２２には、伸縮性フィルム３３，３５も配されている。そして、伸縮性フィルム３３，３５によって第１高圧力領域３３ｓ、第２高圧力領域３５ｓがそれぞれ形成されている。伸縮性フィルム３３，３５及び高圧力領域（第１高圧力領域３３ｓ、第２高圧領域３５ｓ）の詳細については後述する。
【００６０】
股下外装体２３は、長手方向の中央部分において左右方向の内側へ湾曲した平面視略砂時計形状を成している。また、図３に示すように、股下外装体２３は、肌側に位置する肌側シート２３１と、非肌側に位置する非肌側シート２３２と、それらの間に位置し、おむつ１の上下方向（吸収性本体１０の長手方向）に伸縮性を備える伸縮性不織布２３３とを有している。これらの肌側シート２３１、非肌側シート２３２、伸縮性不織布２３３は、それぞれ、複数の溶着部（不図示）により接合されている。
【００６１】
股下外装体２３の伸縮性不織布２３３により、吸収性コア１１は着用者の股下部に密着でき、また、排泄により吸収性コア１１の重量が増しても、おむつ１の垂れ下がりを抑制できる。なお、伸縮性不織布２３３は、おむつ１の左右方向に伸縮性を有するものでもよいし、おむつ１の上下方向及び左右方向に伸縮性を有するものでもよい。また、股下外装体２３のうち脚回り開口１ｂに沿う領域に、股下弾性部材２８が配されている。股下弾性部材２８は、胴回り弾性部材２６及び脚回り弾性部材２７と同様に糸ゴムなどで構成されている。これにより、股下外装体２３が着用者の脚回りに密着するようになっている。
【００６２】
＜＜高圧力領域について＞＞
以下、図２〜図４を参照しつつ、本実施形態のおむつ１の高圧力領域（第１高圧力領域３３ｓ及び第２高圧力領域３５ｓ）について説明する。なお、図４Ａ〜図４Ｃは、本実施形態のおむつ１を着用した状態を示す概念図である。図４Ａは前側（腹側）から見た図であり、図４Ｂは、後側（背側）から見た図であり、図４Ｃは横から見た図（側面図）である。図４Ａ〜図４Ｃでは、第１高圧力領域３３ｓと第２高圧力領域３５ｓの設けられた部位（配置）をそれぞれ一点鎖線で囲んで示している。
【００６３】
本実施形態のおむつ１には伸縮領域２６ｓよりも下方に２つの高圧力領域（第１高圧力領域３３ｓ、第２高圧力領域３５ｓ）が設けられている。ここで、高圧力領域とは、おむつ１の着用時の圧力（締め付けの圧力）が、伸縮性不織布２１５，２２５の設けられた領域（例えばベース領域２１ｓ）よりも高い領域である。換言すると、単位幅の高圧力領域（第１高圧力領域３３ｓ及び第２高圧力領域３５ｓ）を左右方向に単位長さ伸長させる力は、単位幅のベース領域２１ｓを左右方向に単位長さ伸長させる力よりも大きいということになる。
【００６４】
第１高圧力領域３３ｓは、腹側外装体２１の胴回り領域２１１、及び、背側外装体２２の胴回り領域２２１を、それぞれ、左右方向の両端の端部接合領域２４の間で横切るように設けられている。同様に、第２高圧力領域３５ｓも、腹側外装体２１の胴回り領域２１１、及び、背側外装体２２の胴回り領域２２１を、それぞれ、左右方向の両端の端部接合領域２４の間で横切るように設けられている
【００６５】
第１高圧力領域３３ｓは、複数本（本実施形態では３本）の伸縮性フィルム３３が上下方向に間隔を空けて配置されて構成されている。また、第２高圧力領域３５ｓも、同様に複数本（本実施形態では３本）の伸縮性フィルム３５が上下方向に間隔を空けて配置されて構成されている。伸縮性フィルム３３、３５は、例えば、ウレタンやスチレンのようなエストラマー樹脂を溶融し、均一厚さのシート状とした伸縮性を有する弾性部材である。このようなシート状の伸縮性フィルム３３を用いることにより、面で圧力をかけることができ、体に跡がつきにくく、締め付けなどによる違和感を抑制することができる。
【００６６】
腹側外装体２１側（前側）の３本の伸縮性フィルム３３と、それらに対応する背側外装体２２側（後側）の３本の伸縮性フィルム３３は、それぞれ、端部接合領域２４において上下方向の位置が同じになるように配置されている。そして、端部接合領域２４において、腹側外装体２１の側の３本の伸縮性フィルム３３（換言すると第１高圧領域３３ｓ）の左右方向の端部と、背側外装体２２の側の３本の伸縮性フィルム３３（換言すると第１高圧領域３３ｓ）の左右方向の端部とが接続される。これにより、図４Ｃに示すように、腹側外装体２１の側の第１高圧力領域３３ｓと背側外装体２２の側の第１高圧力領域３３ｓが、端部接合領域２４で連続するように繋がり、第１高圧力領域３３ｓは、腹側外装体２１と背側外装体２２に亘って周状に形成される。
【００６７】
同様に、腹側外装体２１側の３本の伸縮性フィルム３５と、それらに対応する背側外装体２２側の３本の伸縮性フィルム３５は、それぞれ、端部接合領域２４において上下方向の位置が同じになるように配置されている。そして、端部接合領域２４において、腹側外装体２１側の３本の伸縮性フィルム３５（換言すると第２高圧領域３５ｓ）の左右方向の端部と、背側外装体２２側の３本の伸縮性フィルム３５（換言すると第２高圧領域３５ｓ）の左右方向の端部とが、それぞれ、接続される。これにより、図４Ｃに示すように、腹側外装体２１側の第２高圧力領域３５ｓと背側外装体２２側の第２高圧力領域３５ｓが、端部接合領域２４で連続するように繋がり、第２高圧力領域３５ｓは、腹側外装体２１と背側外装体２２に亘って周状に形成される。
【００６８】
また、端部接合領域２４において、第１高圧力領域３３ｓは、胴回り開口１ａの縁に沿う領域（伸縮領域２６ｓ）の近くを通り、第２高圧力領域３５ｓは、脚回り開口１ｂの縁に沿う領域（脚回り弾性部材２７の形成領域）の近くを通っている。また、端部接合領域２４において、第１高圧力領域３３ｓと第２高圧力領域３５ｓは重なっていない。すなわち、端部接合領域２４において、第１高圧力領域３３ｓは、第２高圧力領域３５ｓと離間しているとともに、第２高圧力領域３５ｓよりも上側に配置されている。より具体的には、第１高圧力領域３３ｓは、少なくとも上端が着用者の上前腸骨棘よりも上側になるように配置されており、第２高圧力領域３５ｓは、少なくとも下端が上前腸骨棘よりも下側になるように配置されている。本実施形態では、第１高圧力領域３３ｓの下端が上前腸骨棘の上を通る配置になっている。なお、上前腸骨棘は、骨盤最大の骨である腸骨の突起部分であり、腰に手を当てた時に指に触れる出っ張りである。これにより、おむつ１の着用時に、着用者の上前腸骨棘を第１高圧力領域３３ｓと第２高圧力領域３５ｓで挟み込むようにできる。このように、上前腸骨棘を第１高圧力領域３３ｓと第２高圧力領域３５ｓで挟み込むことにより、おむつ１の着用の際に位置ずれが起こりにくくなり、狙いの位置を確実に高圧力に保持することができる。
【００６９】
また、第１高圧力領域３３ｓは、腹側外装体２１側では下側に凸となるように湾曲して配置されており（図２、図４Ａ参照）、背側外装体２２側では伸縮領域２６ｓの下方近くでほぼ水平に配置されている（図２、図４Ｂ参照）。このため、おむつ１の左右方向の中央Ｃにおいて、背側外装体２２側（後側）の第１高圧力領域３３ｓの下端が、腹側外装体２１側（前側）の第１高圧力領域３３ｓの下端よりも上側に配置されている。これにより、下腹部を斜め上に締める（圧力を加える）ことができ、腹腔内圧を高めることができる。特に、本実施形態では腹側外装体２１側で下側に凸となっているので、腹腔内圧を高めやすい。また、このような構成とすることで、骨盤周りの筋肉（腹筋など）の働きを補助でき、骨盤を安定させることができる。これにより、足上がりや歩幅などの歩行性の向上を図ることが可能である。また、図２に示すように、第１高圧力領域３３ｓは、吸収性コア１１の上端よりも上に配置されている（吸収性コア１１とは重なっていない）。これにより、腹腔内圧を逃がさないようにできる。
【００７０】
また、第２高圧力領域３５ｓは、腹側外装体２１側ではほぼ水平に配置されており（図２、図４Ａ参照）、背側外装体２２側では上側に凸となるように湾曲して配置されている（図２、図４Ｂ参照）。このため、おむつ１の左右方向の中央Ｃにおいて、背側外装体２２側（後側）の第２高圧力領域３５ｓの下端が、腹側外装体２１側（前側）の第２高圧力領域３５ｓの下端よりも上側に配置されている。これにより、上前腸骨棘を挟んでさらに下側の部分（下腹部）の腹腔内圧を高めることができる。また、背側外装体２２側で上側に凸となっているので、臀部の形に沿いやすい。また、第２高圧力領域３５ｓは、吸収性コア１１の上端よりも上に配置されている（吸収性コア１１とは重なっていない）。これにより、吸収性コア１１に皺がよりにくく、吸収性を低下させないようにできる。
【００７１】
また、背側外装体２２側において、第１高圧力領域３３ｓと第２高圧力領域３５ｓは、胴回り領域２２１内に設けられている。なお、前述したように、胴回り領域２２１は、おむつ１の上下方向の中央ＢＣＬ（図２参照）よりも上に位置している。つまり、背側外装体２２側（後側）において、第１高圧力領域３３ｓと第２高圧力領域３５ｓは、ともに、おむつ１の上下方向の中央ＢＣＬよりも上に配置されている。これにより、臀部を避けて締め付けることができ、歩行などの動作を妨げないようにできる。
【００７２】
また、腹側外装体２１側で第１高圧力領域３３ｓが下側に凸となっているため、おむつ１の前側の左右方向の中央Ｃにおいて、第１高圧力領域３３ｓと第２高圧力領域３５ｓが重なっている。このように、おむつ１の前側の左右方向の中央Ｃで、第１高圧力領域３３ｓと第２高圧力領域３５ｓが少なくとも１部重なることにより、斜め上に引き上げる力を高めることができ、腹腔内圧をより高めることができる。なお、図４Ａに示す中央位置Ｊｆは、おむつ１の前側の左右方向の中央Ｃにおける第１高圧力領域３３ｓと第２高圧力領域３５ｓとの重なり部分の上下方向の中央である。
【００７３】
さらに、背側外装体２２側で第２高圧力領域３５ｓが上側に凸となっているため、おむつ１の後側の左右方向の中央Ｃにおいても、第１高圧力領域３３ｓと第２高圧力領域３５ｓが重なっている。なお、図４Ｂに示す中央位置Ｊｂは、おむつ１の後側の左右方向の中央Ｃにおける第１高圧力領域３３ｓと第２高圧力領域３５ｓとの重なり部分の上下方向の中点である。
【００７４】
本実施形態では、図４Ａ、図４Ｂに示すように、前側の左右方向の中央Ｃにおける重なり部分（第１高圧力領域３３ｓと第２高圧力領域３５ｓとの重なり部分）の中央位置Ｊｆよりも、後側の左右方向の中央Ｃにおける重なり部分の中央位置Ｊｂの方が高い位置（上側）にある。これにより、着用者の下腹部をより斜め上に引き上げやすい。
【００７５】
以上、説明したように、本実施形態のおむつ１は、胴回り開口１ａの縁に沿った伸縮領域２６ｓと、腹側外装体２１の左右方向の中央の伸縮領域２６ｓに下側から隣接するベース領域２１ｓと、伸縮領域２６ｓの下方に設けられた第１高圧力領域３３ｓ、及び、第２高圧力領域３５ｓと、を備えている。第１高圧力領域３３ｓ及び第２高圧力領域３５ｓは、それぞれ、腹側外装体２１と背側外装体２２に亘って周状に設けられており、端部接合領域２４において、第１高圧力領域３３ｓは、第２高圧力領域３５ｓと離間しているとともに、第２高圧力領域３５ｓよりも上側に配置されている。また、左右方向の中央Ｃにおいて、背側外装体２２側の第１高圧力領域３３ｓの下端が、腹側外装体２１側の第１高圧力領域３５ｓの下端よりも上側に配置されている。
【００７６】
これにより、下腹部を斜め上に締めることができ、腹腔内圧を高めることができる。また、着用時に位置がずれにくくなり、狙いの位置を高圧力に保持できる。
【００７７】
＝＝＝その他の実施形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００７８】
また、前述の実施形態では、腹側外装体２１側の第２高圧力領域３５ｓがほぼ水平であったが、下側に凸となるように配置されていてもよい。また、前述の実施形態では、背側外装体２２側の第２高圧力領域３５ｓが上側に凸となっていたが、水平に配置されていてもよい（上側に凸でなくてもよい）。例えば、胴回りにおいて第１高圧力領域３３ｓと第２高圧力領域３５ｓが略平行に配置されていてもよい。なお、この場合、前側と後側で、第１高圧力領域３３ｓと第２高圧力領域３５ｓがそれぞれ重ならないことになる。この場合においても、第１高圧力領域３３ｓと第２高圧力領域３５ｓで、着用者の上前腸骨棘を挟み込むようにすることにより、狙いの位置を高圧力に保持でき、腹腔内圧を高めることができる。ただし、この場合、第２高圧力領域３５ｓが吸収性コア１１と重ならないようにする（第２高圧力領域３５ｓを吸収性コア１１の上端よりも上に配置する）ことが望ましい。
【００７９】
また、前述の実施形態では、第１高圧力領域３３ｓ及び第２高圧力領域３５ｓが、それぞれ、複数（３本）の伸縮性フィルム３３，３５で構成されていたが、これには限られない。例えば、一つの伸縮性フィルムで高圧力領域を構成してもよい。ただし、前述の実施形態のように複数の伸縮性フィルム（伸縮性フィルム３３，３５）を上下に間隔を空けて形成することによって、伸縮性フィルムが無い箇所の厚み方向の部材数を少なくでき、通気性や履き心地が良くなる。また、高圧力領域を構成する部材としては、伸縮性フィルムには限られず、ポリウレタン樹脂や天然ゴムからなる糸状・帯状の弾性部材などを用いてもよい。
【００８０】
また、前述の実施形態では、端部接合領域２４において、各高圧力領域（第１高圧力領域３３ｓ、第２高圧力領域３５ｓ）が、完全に連続するように接続されていたが、少なくとも一部が胴回りの周方向に連続していればよい。例えば、前側の高圧力領域と後側の高圧力領域がそれぞれ水平方向に沿って、且つ、後側の高圧力領域の方が前側の高圧力領域よりも上に配置され、端部接合領域２４において、段差が設けられて一部が繋がっていてもよい。このような場合においても、第１高圧力領域３３ｓと第２高圧力領域３５ｓが、それぞれ、端部接合領域２４で少なくとも一部連続していることにより周方向に締め付けることができ、また、後側の高圧力領域の方が前側の高圧力領域よりも上に配置されるので、下腹部を斜め上に締めることができる。
【００８１】
また、腹側外装体２１側の左右方向の中央Ｃを含む所定範囲（例えば、吸収性コア１１の上方の部位）において、伸縮性フィルム３３、３５の少なくとも１本の弾性係数を、他の部位よりも値が大きくなるようにしてもよい。なお、弾性係数とは、弾性変形における応力と変位（ひずみ）の間の比例定数であり、弾性係数が大きいほど、同じ応力に対する変位量が小さくなる。つまり、同じ力がかかった場合に、上記の所定範囲の部位が他の部位よりも変形しにくくなるようにしてもよい。これにより、座るときなどの姿勢の変化による下腹の変形に追従しにくくなり、締め付け圧力を保持しやすくなる。なお、伸縮性フィルムの一部の弾性係数を大きくする方法としては、例えば、伸縮性フィルムの一部（上記所定範囲）を加熱して伸縮性を低減する（弾性係数を大きくする）方法などがある。
【符号の説明】
【００８２】
１  パンツ型使い捨ておむつ、
１０  吸収性本体、１１  吸収性コア、
１２  トップシート、１３  バックシート、１４  立体ギャザー部、
２０  外装体、
２１  腹側外装体（前側ベルト部）、２１ｓ  ベース領域、
２２  背側外装体（後側ベルト部）、
２３  股下外装体、２４  端部接合領域、
２６  胴回り弾性部材、２６ｓ  伸縮領域、
２７  脚回り弾性部材、２８  股下弾性部材、
３３  伸縮性フィルム（弾性部材）、３３ｓ  第１高圧力領域、
３５  伸縮性フィルム（弾性部材）、３５ｓ  第２高圧力領域
【図１】
2019181180.tif 000003
【図２】
2019181180.tif 000004
【図３】
2019181180.tif 000005
【図４】
2019181180.tif 000006